(57)【特許請求の範囲】
【請求項１】
端末装置からコンテンツの配信要求を受け付ける受付部と、
前記配信要求に対応するコンテンツと、前記端末装置を利用するユーザに関する属性に基づいて生成されるユーザ情報であって、前記コンテンツに付加されるユーザ情報とを、前記端末装置に配信する配信部と、
を備えたことを特徴とする配信装置。
【請求項２】
前記配信部は、
前記ユーザに関する属性のうち、前記コンテンツとの関連度に基づいて複数の属性から選択される属性に基づいて生成される前記ユーザ情報を前記端末装置に配信する
ことを特徴とする請求項１に記載の配信装置。
【請求項３】
前記配信部は、
前記ユーザに関する属性のうち、前記属性の各々に付された優先度に基づいて選択される前記属性に対応する前記ユーザ情報を前記端末装置に配信する
ことを特徴とする請求項１または請求項２に記載の配信装置。
【請求項４】
前記配信部は、
画像情報を含む前記コンテンツと、前記画像情報に重畳して表示される文字情報である前記ユーザ情報を前記端末装置に配信する
ことを特徴とする請求項１〜３のいずれか１項に記載の配信装置。
【請求項５】
前記配信部は、
前記ユーザ情報が重畳して表示される前記画像情報と、前記ユーザ情報を付加しない領域に表示される情報を含む前記コンテンツを前記端末装置に配信する
ことを特徴とする請求項４に記載の配信装置。
【請求項６】
前記配信部は、
前記ユーザ情報が重畳して表示される前記画像情報を含む前記コンテンツが、他のコンテンツと一覧表示される前記端末装置に、前記コンテンツを配信する、
ことを特徴とする請求項４または請求項５に記載の配信装置。
【請求項７】
前記配信部は、
動画情報または音声情報を含む前記コンテンツと、前記コンテンツに付加される音声情報である前記ユーザ情報とを、前記端末装置に配信する
ことを特徴とする請求項１〜３のいずれか１項に記載の配信装置。
【請求項８】
前記受付部は、
前記コンテンツである広告の配信要求を前記端末装置から受け付け、
前記配信部は、
前記配信要求に対応する広告と、前記端末装置を利用するユーザに関するユーザ情報であって、前記広告に付加されるユーザ情報とを、前記端末装置に配信する、
ことを特徴とする請求項１〜７のいずれか１項に記載の配信装置。
【請求項９】
前記配信部は、
前記端末装置を利用するユーザおけるイベントに基づく前記ユーザ情報を前記端末装置に配信する
ことを特徴とする請求項１〜８のいずれか１項に記載の配信装置。
【請求項１０】
コンピュータが実行する配信方法であって、
端末装置からコンテンツの配信要求を受け付ける受付工程と、
前記配信要求に対応するコンテンツと、前記端末装置を利用するユーザに関する属性に基づいて生成されるユーザ情報であって、前記コンテンツに付加されるユーザ情報とを、前記端末装置に配信する配信工程と、
を含むことを特徴とする配信方法。
【請求項１１】
端末装置からコンテンツの配信要求を受け付ける受付手順と、
前記配信要求に対応するコンテンツと、前記端末装置を利用するユーザに関する属性に基づいて生成されるユーザ情報であって、前記コンテンツに付加されるユーザ情報とを、前記端末装置に配信する配信手順と、
をコンピュータに実行させることを特徴とする配信プログラム。
【請求項１２】
端末装置であって、
コンテンツと、前記端末装置を利用するユーザに関する属性に基づいて生成されるユーザ情報であって、前記コンテンツに付加されるユーザ情報とを受信する受信部と、
前記受信部により受信された前記コンテンツに前記ユーザ情報を付加して表示する表示部と
を備えたことを特徴とする端末装置。
【請求項１３】
前記受信部は、
画像情報を含む前記コンテンツと、前記画像情報に重畳して表示される文字情報である前記ユーザ情報を受信し、
前記表示部は、
前記ユーザ情報を前記画像情報に重畳して表示する
ことを特徴とする請求項１２に記載の端末装置。
【請求項１４】
前記受信部は、
前記ユーザ情報が重畳して表示される前記画像情報と、前記ユーザ情報を付加しない領域に表示される情報とを含む前記コンテンツを受信し、
前記表示部は、
前記ユーザ情報が重畳された前記画像情報と、前記ユーザ情報を付加しない領域に表示される情報とを表示する
ことを特徴とする請求項１３に記載の端末装置。
【請求項１５】
前記表示部は、
前記ユーザ情報が重畳された前記画像情報を含む前記コンテンツを他のコンテンツとともに一覧表示する、
ことを特徴とする請求項１３または請求項１４に記載の端末装置。
【請求項１６】
前記受信部は、
前記コンテンツである広告と、前記ユーザ情報とを受信し、
前記表示部は、
前記受信部により受信された前記広告に前記ユーザ情報を付加して表示する
ことを特徴とする請求項１２〜１５のいずれか１項に記載の端末装置。
【請求項１７】
前記受信部は、
前記端末装置を利用するユーザおけるイベントに基づく前記ユーザ情報を受信する
ことを特徴とする請求項１２〜１６のいずれか１項に記載の端末装置。
【請求項１８】
端末装置に実行させる表示プログラムであって、
コンテンツと、前記端末装置を利用するユーザに関する属性に基づいて生成されるユーザ情報であって、前記コンテンツに付加されるユーザ情報とを受信する受信手順と、
前記受信手順により受信された前記コンテンツに前記ユーザ情報を付加して表示する表示手順と、
を端末装置に実行させることを特徴とする表示プログラム。
【発明の詳細な説明】
【技術分野】
【０００１】
本発明は、配信装置、配信方法、配信プログラム、端末装置、及び表示プログラムに関する。
【背景技術】
【０００２】
近年、ユーザに応じたコンテンツを配信する技術が提供されている。例えば、複数のテンプレートのいずれかに基づいて広告クリエイティブを作成する技術が提供されている。
【先行技術文献】
【特許文献】
【０００３】
【特許文献１】特開２０１０−０９７４９４号公報
【発明の概要】
【発明が解決しようとする課題】
【０００４】
しかしながら、上記の従来技術ではユーザに応じて適切なコンテンツを配信することが難しい。例えば、各ユーザに応じたテンプレートを用意することは難しいため、ユーザに応じて適切なコンテンツを配信することが難しい。
【０００５】
本願は、上記に鑑みてなされたものであって、ユーザに応じて適切なコンテンツを配信する配信装置、配信方法、配信プログラム、端末装置、及び表示プログラムを提供することを目的とする。
【課題を解決するための手段】
【０００６】
本願に係る配信装置は、端末装置からコンテンツの配信要求を受け付ける受付部と、前記配信要求に対応するコンテンツと、前記端末装置を利用するユーザに関するユーザ情報であって、前記コンテンツに付加されるユーザ情報とを、前記端末装置に配信する配信部と、を備えたことを特徴とする。
【発明の効果】
【０００７】
実施形態の一態様によれば、ユーザに応じて適切なコンテンツを配信することができるという効果を奏する。
【図面の簡単な説明】
【０００８】
【図１】図１は、実施形態に係る配信処理の一例を示す図である。
【図２】図２は、実施形態に係る広告配信装置の構成例を示す図である。
【図３】図３は、実施形態に係る広告情報記憶部の一例を示す図である。
【図４】図４は、実施形態に係るユーザ属性情報記憶部の一例を示す図である。
【図５】図５は、実施形態に係る画像情報記憶部の一例を示す図である。
【図６】図６は、実施形態に係る端末装置の構成例を示す図である。
【図７】図７は、実施形態に係る配信処理の一例を示すフローチャートである。
【図８】図８は、実施形態に係る端末装置における表示処理の一例を示すフローチャートである。
【図９】図９は、変形例に係る広告情報記憶部の一例を示す図である。
【図１０】図１０は、変形例に係る配信処理の一例を示すフローチャートである。
【図１１】図１１は、変形例に係る配信処理の一例を示すフローチャートである。
【図１２】図１２は、端末装置におけるユーザ情報の表示の一例を示す図である。
【図１３】図１３は、広告配信装置の機能を実現するコンピュータの一例を示すハードウェア構成図である。
【発明を実施するための形態】
【０００９】
以下に、本願に係る配信装置、配信方法、配信プログラム、端末装置、及び表示プログラムを実施するための形態（以下、「実施形態」と呼ぶ）について図面を参照しつつ詳細に説明する。なお、この実施形態により本願に係る配信装置、配信方法、配信プログラム、端末装置、及び表示プログラムが限定されるものではない。また、以下の各実施形態において同一の部位には同一の符号を付し、重複する説明は省略される。
【００１０】
（実施形態）
〔１．配信処理〕
まず、図１を用いて、実施形態に係る配信処理の一例について説明する。図１は、実施形態に係る配信処理の一例を示す図である。図１に示す広告配信装置１００は、コンテンツ配信装置５０が配信するコンテンツに表示される広告を配信する配信サービスを提供する。以下では、コンテンツ配信装置５０が配信するコンテンツがウェブページである場合を例に説明する。
【００１１】
図１に示すように、配信システム１には、端末装置１０と、コンテンツ配信装置５０と、広告配信装置１００とが含まれる。端末装置１０と、コンテンツ配信装置５０と、広告配信装置１００とは図示しない所定の通信網を介して、有線または無線により通信可能に接続される。なお、図１に示した配信システム１には、複数台の端末装置１０や、複数台のコンテンツ配信装置５０や、複数台の広告配信装置１００が含まれてもよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１は、端末装置１０がスマートフォンである場合を示す。
【００１３】
また、端末装置１０は、ユーザによる操作を受け付ける。図１に示す例において、端末装置１０は、所定のブラウザアプリ（以下、単に「ブラウザ」とする場合がある）を起動する。そして、端末装置１０は、ブラウザに表示するコンテンツをコンテンツ配信装置５０へ要求する。また、端末装置１０は、表示するコンテンツに広告を表示する領域が含まれる場合、広告を広告配信装置１００へ要求する。なお、端末装置１０は、ブラウザに限らず、コンテンツ配信装置５０が配信するコンテンツを表示するためのアプリケーションによりコンテンツを表示してもよい。なお、以下では、端末装置１０をユーザと表記する場合がある。すなわち、以下では、ユーザを端末装置１０と読み替えることもできる。
【００１４】
広告配信装置１００は、広告の配信要求に応じて広告を配信する広告配信サービスを提供する配信装置である。例えば、広告配信装置１００は、広告の配信を要求した端末装置１０を利用するユーザに応じて、端末装置１０へ広告を配信する配信装置である。また、広告配信装置１００は、端末装置１０に配信する広告が画像を含まない文字情報のみである場合、広告に適した画像情報を選択する。そして、広告配信装置１００は、広告である文字情報や画像情報に付加するユーザ情報を、端末装置１０を利用するユーザの属性に基づいて生成する。以下、広告である文字情報や画像情報と、広告に付加されるユーザ情報とを合わせて広告とする場合がある。なお、ここで言うユーザ情報は、例えばユーザの年齢や性別等の属性を含み、そのユーザに対する広告の訴求効果を高めることが期待される情報である。例えば、ユーザ情報は、ユーザの属性であればどのような情報を含んでもよく、例えば、年齢や性別に限らず、より個人的な名前や居住地域等の属性を含んでもよい。また、図１に示す例における画像情報は、その画像情報に関する権利（著作権等）を有する第三者から、画像情報への加工、すなわち二次加工に関する許諾が得られているものとする。
【００１５】
コンテンツ配信装置５０は、コンテンツを配信する情報処理装置である。図１に示す例において、コンテンツ配信装置５０は、端末装置１０からのコンテンツ要求に応じて、端末装置１０において起動されたブラウザに表示されるウェブページであるコンテンツを配信する。
【００１６】
以下、図１を用いて、配信処理の一例を説明する。図１は、ユーザがユーザＩＤ「Ｕ１」により識別されるユーザ（以下、「ユーザＵ１」とする場合がある）である場合を示す。なお、図１は、広告情報記憶部１２１に記憶された広告は文字情報である、すなわち広告主から入稿されたコンテンツである広告が文字情報のみである場合を一例として示す。
【００１７】
図１に示すように、ユーザＵ１の操作によりブラウザが起動された端末装置１０は、コンテンツ配信装置５０にコンテンツ要求を送信する（ステップＳ１１）。例えば、図１においては図示を省略するが、ユーザＵ１がブラウザのアドレスバーにコンテンツ配信装置５０のＵＲＬ（Uniform  Resource  Locator）を入力すること等により、端末装置１０は、コンテンツ配信装置５０にコンテンツの配信を要求する。
【００１８】
端末装置１０からコンテンツ要求を受け付けたコンテンツ配信装置５０は、端末装置１０にコンテンツを配信する（ステップＳ１２）。例えば、コンテンツ配信装置５０は、端末装置１０にコンテンツＣＴ１１、ＣＴ１２、ＣＴ１３及び広告表示領域ＡＲ１１を含むコンテンツＣＴ１０を配信する。
【００１９】
コンテンツＣＴ１０を受信した端末装置１０は、コンテンツＣＴ１０中に広告表示領域ＡＲ１１が含まれるため、広告配信装置１００に広告の配信要求を送信する（ステップＳ１３）。端末装置１０は、ステップＳ１３において、配信要求として、端末装置１０を利用するユーザＵ１を識別する情報を広告配信装置１００に送信する。
【００２０】
端末装置１０から広告の配信要求を取得した広告配信装置１００は、端末装置１０に配信する広告を選択する（ステップＳ１４）。具体的には、広告配信装置１００は、広告情報記憶部１２１から広告の文章である文字情報を選択する。例えば、広告配信装置１００は、ユーザ属性情報記憶部１２２に記憶されたユーザの属性に関する情報に基づいて、広告情報記憶部１２１から文字情報を選択する。例えば、広告配信装置１００は、端末装置１０に配信する広告として、広告ＩＤ「ＡＣ１１」により識別される文字情報「○○に一戸建てを持ちませんか？」（以下、「文字情報ＡＣ１１」とする場合がある）を選択する。
【００２１】
また、広告配信装置１００は、選択した文字情報に基づいて画像情報記憶部１２３から文字情報とともに表示する画像情報（以下、単に「画像」とする場合がある）を選択する。例えば、広告配信装置１００は、文字情報「○○に一戸建てを持ちませんか？」が家に関する広告の文章であるため、家に関連する画像を選択する。具体的には、広告配信装置１００は、文字情報「○○に一戸建てを持ちませんか？」に基づいて、画像情報記憶部１２３から画像ＩＤ「Ｇ１２」により識別される画像（以下、「画像Ｇ１２」とする場合がある）を選択する。
【００２２】
また、広告配信装置１００は、ユーザ属性情報記憶部１２２からユーザ情報の生成に用いる属性を選択する。例えば、広告配信装置１００は、広告である画像Ｇ１２や文字情報ＡＣ１１に基づいて、ユーザ情報の生成に用いる属性を選択する。例えば、広告配信装置１００は、ユーザに関する属性から、画像Ｇ１２や文字情報ＡＣ１１との関連度に基づいて属性を選択する。具体的には、広告配信装置１００は、家の画像Ｇ１２や戸建ての購入を勧める文字情報ＡＣ１１に基づいて、家との関連度が高い属性「年齢」と属性「性別」を選択する。なお、広告配信装置１００は、広告の対象である商品を購入したりサービスの提供を受けたりしたユーザの属性の分布等に基づいて、広告の対象とユーザの属性の関連度を決定してもよい。
【００２３】
その後、広告配信装置１００は、ステップＳ１４において選択した属性に基づいて、端末装置１０を利用するユーザＵ１に関するユーザ情報を生成する（ステップＳ１５）。例えば、広告配信装置１００は、ユーザＵ１の年齢「３０代」や性別「男性」等の属性に関する情報に基づいて、ユーザＵ１に関するユーザ情報を生成する。具体的には、広告配信装置１００は、年齢「３０代」や性別「男性」を用いて、ユーザ情報「３０代  男性  必見！」（以下、「ユーザ情報ＵＩ１１」とする場合がある）を生成する。
【００２４】
その後、広告配信装置１００は、広告を端末装置１０へ配信する（ステップＳ１６）。具体的には、広告配信装置１００は、文字情報ＡＣ１１と画像Ｇ１２とユーザ情報ＵＩ１１とを、広告として端末装置１０へ配信する。
【００２５】
そして、端末装置１０は、コンテンツ配信装置５０から受信したコンテンツＣＴ１０に含まれる広告表示領域ＡＲ１１に広告配信装置１００から受信した広告を配置して、コンテンツＣＴ１０を表示する（ステップＳ１７）。図１に示す例において、端末装置１０は、コンテンツＣＴ１１〜ＣＴ１３と同様に、広告表示領域ＡＲ１１に左側に画像を配置し、右側に文字情報を配置した態様で広告を表示する。具体的には、端末装置１０は、広告表示領域ＡＲ１１の右側に文字情報ＡＣ１１である「○○に一戸建てを持ちませんか？」を配置する。
【００２６】
また、端末装置１０は、広告表示領域ＡＲ１１の左側に家の画像Ｇ１２を配置する。ここで、端末装置１０は、広告表示領域ＡＲ１１の左側に配置された家の画像Ｇ１２に重畳させてユーザ情報ＵＩ１１を表示させる。具体的には、端末装置１０は、ユーザ情報ＵＩ１１を「３０代」、「男性」、「必見！」と３行に分けて、家の画像Ｇ１２に重ねて表示させる。なお、上述した例においては、広告配信装置１００が、ステップＳ１６において文字情報ＡＣ１１と画像Ｇ１２とユーザ情報ＵＩ１１とを端末装置１０へ配信する例を示したが、画像Ｇ１２とユーザ情報ＵＩ１１とを合成した合成画像を生成し、端末装置１０に配信してもよい。この場合、広告配信装置１００は、家の画像Ｇ１２にユーザ情報ＵＩ１１を重畳させて配置した合成画像を生成し、端末装置１０に配信してもよい。具体的には、広告配信装置１００は、ユーザ情報ＵＩ１１を「３０代」、「男性」、「必見！」と３行に分けて、家の画像Ｇ１２に重ねて配置した合成画像を生成し、端末装置１０に配信してもよい。
【００２７】
上述したように、広告配信装置１００は、広告である文字情報や画像に付加されるユーザ情報を端末装置１０に配信する。また、ユーザ情報を受信した端末装置１０は、画像に重畳させてユーザ情報を表示させる。これにより、端末装置１０を利用するユーザにとって、表示される広告がユーザ自身の属性に基づいて生成されたユーザ情報が付加された広告であるため、コンテンツに注目する可能性をより高めることができる。すなわち、広告配信装置１００は、人間の行動心理における選択的注意、いわゆるカクテルパーティ効果を広告等のコンテンツ配信において得ることができる。これにより、広告配信装置１００は、ユーザに応じて適切な広告を配信することができる。すなわち、広告配信装置１００は、ユーザに応じて適切なコンテンツを配信することができる。
【００２８】
なお、広告配信装置１００は、ステップＳ１４において選択された画像が、ユーザ情報を重畳させるのに適切な画像でない場合、ユーザ情報を画像に重畳させなくてもよい。この場合、広告配信装置１００は、例えば、後述するように画像の付近にユーザ情報を配置して表示してもよい。また、広告配信装置１００は、広告情報記憶部１２１に広告主から入稿された画像が含まれる場合、広告主から入稿された画像にユーザ情報を重ねて表示させてもよい。この場合、広告配信装置１００は、例えば、広告主に画像へユーザ情報の付加を許可するかどうかの指定を受け付けてもよい。また、上述のように広告主から提供された画像情報については、広告主やその画像情報に関する権利（著作権等）を有する第三者から、画像情報への加工、すなわち二次加工に関する許諾が得られているものとする。
【００２９】
また、上記例においては、画像にユーザ情報を重ねて表示させる例を示したが、ユーザ情報はコンテンツである広告とともにユーザに提供されれば、付加される態様はどのような態様であってもよい。例えば、広告配信装置１００は、画像の周囲（例えば、下部）にユーザ情報を配置することにより、広告にユーザ情報を付加してもよい。また、例えば、広告配信装置１００は、文字情報の周囲（例えば、下部）にユーザ情報を配置することにより、広告にユーザ情報を付加してもよい。また、広告配信装置１００は、端末装置１０において広告が表示される際に、端末装置１０にユーザ情報を音声として出力させてもよい。また、広告配信装置１００は、ユーザ情報が付加される文字情報や画像に応じて、ユーザ情報の視認性が高まるようにユーザ情報を表示する色を変更してもよい。また、広告配信装置１００は、ユーザ情報が付加される文字情報や画像に応じて、ユーザ情報の視認性が高まるように文字情報や画像を表示する色を変更してもよい。
【００３０】
また、上記例においては、ユーザ情報ＵＩ１１を「３０代」、「男性」、「必見！」と３行に分けて表示したが、端末装置１０は、目的に応じてユーザ情報の表示態様を適宜変更してもよい。端末装置１０は、ユーザ情報を表示させる領域、例えば重畳させる画像のサイズ等に応じて、文字の大きさや行数や１行に入れる文字数等を適宜変更してもよい。
【００３１】
なお、広告配信装置１００は、ユーザ情報が付加された広告に対するユーザ操作の有無に応じて、ユーザの属性情報を更新してもよい。具体的には、広告配信装置１００は、ユーザ情報が付加された広告に対するユーザ操作の有無に応じて、ユーザ属性情報記憶部１２２に記憶されたユーザの属性情報を更新してもよい。この場合、広告配信装置１００は、属性として年齢が不明なユーザに対して、「２０代」を含むユーザ情報や「３０代」を含むユーザ情報等が付加された広告の各々を順番に、年齢が不明なユーザの端末装置１０に配信してもよい。そして、広告配信装置１００は、ユーザが「２０代」を含むユーザ情報が付加された広告を選択（クリック）した場合、そのユーザが「２０代」であるとして、ユーザ属性情報記憶部１２２に記憶されたユーザの属性情報を更新してもよい。
【００３２】
このように、広告配信装置１００は、ユーザの不明な属性に関するユーザ情報が付加された複数の広告を出し分けて、ユーザの各広告に対する反応を比較することにより、不明なユーザの属性を推定することができる。すなわち、広告配信装置１００は、属性が全て不明なユーザであっても、不明な属性に関するユーザ情報が付加された複数の広告を出し分けて、ユーザの各広告に対する反応を比較することにより、ユーザの属性が特定可能になる。このように、広告配信装置１００は、不明な属性に関するユーザ情報が付加された複数の広告を出し分けることにより、ユーザの属性に関する情報の収集が可能になる。また、広告配信装置１００は、ユーザ属性情報記憶部１２２に記憶されたユーザの属性情報を更新することにより、ユーザに応じて適切な広告を配信することができる。
【００３３】
〔２．広告配信装置の構成〕
次に、図２を用いて、実施形態に係る広告配信装置１００の構成について説明する。図２は、実施形態に係る広告配信装置１００の構成例を示す図である。図２に示すように、広告配信装置１００は、通信部１１０と、記憶部１２０と、制御部１３０とを有する。なお、広告配信装置１００は、広告配信装置１００の管理者等から各種操作を受け付ける入力部（例えば、キーボードやマウス等）や、各種情報を表示するための表示部（例えば、液晶ディスプレイ等）を有してもよい。
【００３４】
通信部１１０は、例えば、ＮＩＣ（Network  Interface  Card）等によって実現される。そして、通信部１１０は、ネットワークと有線または無線で接続され、端末装置１０との間で情報の送受信を行う。
【００３５】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、広告情報記憶部１２１と、ユーザ属性情報記憶部１２２と、画像情報記憶部１２３とを有する。
【００３６】
（広告情報記憶部１２１）
実施形態に係る広告情報記憶部１２１は、広告に関する各種情報を記憶する。図３に、実施形態に係る広告情報記憶部１２１の一例を示す。図３に示す広告情報記憶部１２１は、「広告ＩＤ」、「文字情報」、「広告主ＩＤ」、「商品」といった項目を有する。
【００３７】
「広告ＩＤ」は、広告を識別するための識別情報を示す。「文字情報」は、広告主から入稿された広告の文章である文字情報を示す。「広告主ＩＤ」は、広告主を識別するための識別情報を示す。なお、広告主は、入稿作業等を代理店に依頼する場合もある。以下では、「広告主」といった表記は、広告主だけでなく代理店を含む概念であるものとする。「商品」は、広告の対象となる商品やサービスの分類を示す。なお、各商品を識別する情報としては商品の分類に限らず、各商品を識別するための「商品ＩＤ」等の情報を記憶してもよい。
【００３８】
例えば、図３に示す例において、広告ＩＤ「ＡＣ１１」により識別される文字情報「○○に一戸建てを持ちませんか？」は、広告主ＩＤ「ＡＰ１１」により識別される広告主から取得した広告であり、その広告の対象となる商品の分類は「家」であることを示す。
【００３９】
なお、広告情報記憶部１２１は、上記に限らず、目的に応じて種々の情報を記憶してもよい。例えば、広告情報記憶部１２１は、入札価格に関する情報等を記憶してもよい。また、広告情報記憶部１２１は、広告主が入稿した画像情報を記憶してもよい。
【００４０】
（ユーザ属性情報記憶部１２２）
実施形態に係るユーザ属性情報記憶部１２２は、コンテンツに関する各種情報を記憶する。図４に、実施形態に係るユーザ属性情報記憶部１２２の一例を示す。図４に示すユーザ属性情報記憶部１２２は、「ユーザＩＤ」、「年齢」、「性別」、「居住地」、「興味」といった項目が含まれる。
【００４１】
「ユーザＩＤ」は、ユーザを識別するための識別情報を示す。例えば、ユーザＩＤ「Ｕ１」により識別されるユーザは、図１の例に示したユーザに対応する。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。また、「居住地」は、ユーザＩＤにより識別されるユーザの居住する地域を示す。なお、「居住地」は、ユーザＩＤにより識別されるユーザの具体的な住所であってもよい。また、「興味」は、ユーザＩＤにより識別されるユーザが関心のある対象を示す。なお、「興味」は、複数登録されてもよい。
【００４２】
例えば、図４に示す例において、ユーザＩＤ「Ｕ１」により識別されるユーザの年齢は、「３０代」であり、性別は、「男性」であることを示す。また、例えば、図４に示す例において、ユーザＩＤ「Ｕ１」により識別されるユーザは、居住地が「地域Ａ」であり、関心のある対象が「スポーツ」であることを示す。
【００４３】
なお、ユーザ属性情報記憶部１２２は、上記に限らず、目的に応じて種々の情報、例えばデモグラフィック属性情報やサイコグラフィック属性情報を記憶してもよい。例えば、ユーザ属性情報記憶部１２２は、氏名、家族構成、収入、勤務先等の情報を記憶してもよい。
【００４４】
（画像情報記憶部１２３）
実施形態に係る画像情報記憶部１２３は、コンテンツである画像に関する各種情報を記憶する。図５に、実施形態に係る画像情報記憶部１２３の一例を示す。図５に示す画像情報記憶部１２３は、「画像ＩＤ」、「画像」といった項目を有する。
【００４５】
「画像ＩＤ」は、画像を識別するための識別情報を示す。例えば、画像ＩＤ「Ｇ１２」により識別される画像は、図１の例に示した画像Ｇ１２に対応する。また、「画像」は、画像ＩＤにより識別される画像データを示す。なお、図５においては、画像データとして説明のため画像ＩＤにより識別される画像を図示するが、「画像」としては、画像データ、または、これらの格納場所を示すファイルパス名などが格納されてもよい。
【００４６】
例えば、図５に示す例において、画像ＩＤ「Ｇ１１」により識別される画像は、スタジアムの風景画像であることを示す。なお、画像情報記憶部１２３は、上記に限らず、目的に応じて種々の情報を記憶してもよい。例えば、画像情報記憶部１２３は、画像ＩＤ「Ｇ１１」により識別される画像の提供元に関する情報を記憶してもよい。また、画像情報記憶部１２３中の画像は、画像の提供元や画像に関する権利（著作権等）を有する第三者から、画像への加工、すなわち二次加工に関する許諾が得られていることが判断（確認)され、管理（記憶）されているものとする。
【００４７】
（制御部１３０）
図２の説明に戻って、制御部１３０は、例えば、ＣＰＵ（Central  Processing  Unit）やＭＰＵ（Micro  Processing  Unit）等によって、広告配信装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４８】
図２に示すように、制御部１３０は、受付部１３１と、選択部１３２と、生成部１３３と、配信部１３４とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００４９】
（受付部１３１）
受付部１３１は、端末装置１０からコンテンツの配信要求を受け付ける。例えば、受付部１３１は、コンテンツである広告の配信要求を端末装置１０から受け付ける。なお、受付部１３１は、端末装置１０からコンテンツが表示される領域に関する情報を配信要求として受け付けてもよい。例えば、受付部１３１は、端末装置１０からコンテンツに含まれる画像が表示される領域の大きさに関する情報を配信要求として受け付けてもよい。
【００５０】
また、受付部１３１は、広告主から広告の入稿を受け付けてもよい。なお、受付部１３１は、広告主から広告の入稿を依頼された代理店から広告の入稿を受け付けてもよい。この場合、例えば、受付部１３１は、広告主や代理店が利用する情報処理装置から広告の入稿を受け付ける。また、例えば、受付部１３１は、入稿を受け付けた広告を広告情報記憶部１２１に記憶する。
【００５１】
また、受付部１３１は、端末装置１０や所定の外部装置から端末装置１０を利用するユーザの属性に関する情報を受け付ける。この場合、例えば、受付部１３１は、受け付けたユーザの属性に関する情報をユーザ属性情報記憶部１２２に記憶する。また、受付部１３１は、所定の提供元から画像の提供を受け付ける。この場合、例えば、受付部１３１は、所定の提供元が利用する情報処理装置から画像の提供を受け付ける。また、例えば、受付部１３１は、提供を受け付けた画像を画像情報記憶部１２３に記憶する。
【００５２】
（選択部１３２）
選択部１３２は、端末装置１０に配信する広告を選択する。例えば、選択部１３２は、広告情報記憶部１２１から広告の文章である文字情報を選択する。具体的には、選択部１３２は、ユーザ属性情報記憶部１２２に記憶されたユーザの属性に関する情報に基づいて、広告情報記憶部１２１から文字情報を選択する。図１に示す例では、選択部１３２は、端末装置１０に配信する広告として、文字情報ＡＣ１１である「○○に一戸建てを持ちませんか？」を選択する。
【００５３】
また、選択部１３２は、選択した文字情報に基づいて画像情報記憶部１２３から文字情報とともに表示する画像を選択する。図１に示す例では、選択部１３２は、文字情報「○○に一戸建てを持ちませんか？」が家に関する広告の文章であるため、家に関連する画像を選択する。具体的には、選択部１３２は、文字情報「○○に一戸建てを持ちませんか？」に基づいて、画像情報記憶部１２３から家の画像である画像Ｇ１２を選択する。
【００５４】
また、選択部１３２は、ユーザに関する属性から、コンテンツとの関連度に基づいて属性を選択する。例えば、選択部１３２は、ユーザ属性情報記憶部１２２からユーザ情報の生成に用いる属性を選択する。図１に示す例では、選択部１３２は、広告（コンテンツ）である画像Ｇ１２や文字情報ＡＣ１１に基づいて、ユーザ情報の生成に用いる属性を選択する。具体的には、選択部１３２は、家の画像Ｇ１２や戸建ての購入を勧める文字情報ＡＣ１１に基づいて、家との関連度が高い属性「年齢」と属性「性別」を選択する。また、選択部１３２は、ユーザに関する属性から、属性の各々に付された優先度に基づいて、ユーザ情報の生成に用いる属性を選択してもよい。この点についての詳細は後述する。
【００５５】
（生成部１３３）
また、生成部１３３は、選択部１３２により選択された属性に基づいて、ユーザ情報を生成する。図１に示す例では、生成部１３３は、ユーザＵ１の年齢「３０代」や性別「男性」等の属性に関する情報に基づいて、ユーザＵ１に関するユーザ情報を生成する。具体的には、生成部１３３は、年齢「３０代」や性別「男性」を用いて、ユーザ情報ＵＩ１１である「３０代  男性  必見！」を生成する。なお、生成部１３３は、ユーザ情報の表示態様を指示する制御情報を生成してもよい。例えば、生成部１３３は、ユーザ情報の画像に対する表示位置を指定する制御情報を生成してもよい。例えば、生成部１３３は、ユーザ情報を画像に重畳させて表示させる制御情報を生成してもよい。また、生成部１３３は、ユーザ情報ＵＩ１１を「３０代」、「男性」、「必見！」と３行に分けて表示させる制御情報を生成してもよい。
【００５６】
（配信部１３４）
配信部１３４は、配信要求に対応するコンテンツと、端末装置１０を利用するユーザに関するユーザ情報であって、コンテンツに付加されるユーザ情報とを、端末装置１０に配信する。例えば、配信部１３４は、配信要求に対応する広告と、端末装置１０を利用するユーザに関するユーザ情報であって、広告に付加されるユーザ情報とを、端末装置１０に配信する。また、配信部１３４は、生成部１３３が生成したユーザ情報の表示態様を指示する制御情報を端末装置１０に配信する。
【００５７】
また、配信部１３４は、画像情報を含むコンテンツと、画像情報に重畳して表示される文字情報であるユーザ情報を端末装置１０に配信する。例えば、配信部１３４は、画像情報を含む広告と、画像情報に重畳して表示されるユーザ情報を端末装置１０に配信する。図１に示す例では、配信部１３４は、広告を端末装置１０へ配信する。具体的には、配信部１３４は、文字情報ＡＣ１１と画像Ｇ１２とユーザ情報ＵＩ１１とを、広告として端末装置１０へ配信する。
【００５８】
配信部１３４は、ユーザ情報が重畳して表示される画像情報と、ユーザ情報を付加しない領域に表示される情報を含むコンテンツを端末装置１０に配信する。図１に示す例では、配信部１３４は、ユーザ情報ＵＩ１１が重畳して表示される画像Ｇ１２と、ユーザ情報ＵＩ１１を付加しない領域に表示される文字情報ＡＣ１１とを含む広告を端末装置１０へ配信する。また、配信部１３４は、ユーザ情報が重畳して表示される画像情報を含むコンテンツが、他のコンテンツと一覧表示される端末装置１０に、コンテンツを配信する。図１に示す例では、配信部１３４は、ユーザ情報ＵＩ１１が重畳して表示される画像Ｇ１２を含む広告が、他のコンテンツＣＴ１１〜ＣＴ１３と一覧表示される端末装置１０に、広告を配信する。
【００５９】
例えば、配信部１３４は、ユーザに関する属性のうち、コンテンツとの関連度に基づいて選択される属性に対応するユーザ情報を端末装置１０に配信する。また、例えば、配信部１３４は、ユーザに関する属性のうち、属性の各々に付された優先度に基づいて選択される属性に対応するユーザ情報を端末装置１０に配信する。
【００６０】
〔３．端末装置の構成〕
次に、図６を用いて、実施形態に係る端末装置１０の構成について説明する。図６は、実施形態に係る端末装置１０の構成例を示す図である。図６に示すように、端末装置１０は、通信部１１と、記憶部１２と、入力部１３と、出力部１４と、制御部１５とを有する。
【００６１】
（通信部１１）
通信部１１は、例えば、通信回路等によって実現される。そして、通信部１１は、図示しない所定の通信網と有線または無線で接続され、広告配信装置１００との間で情報の送受信を行う。
【００６２】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００６３】
（入力部１３）
入力部１３は、ユーザからの各種操作を受け付ける。例えば、入力部１３は、タッチパネル機能により表示面（例えば出力部１４や表示部１５３）を介してユーザからの各種操作を受け付けてもよい。また、入力部１３は、端末装置１０に設けられたボタンや、端末装置１０に接続されたキーボードやマウスからの各種操作を受け付けてもよい。
【００６４】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００６５】
（制御部１５）
制御部１５は、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００６６】
図６に示すように、制御部１５は、送信部１５１と、受信部１５２と、表示部１５３とを有し、以下に説明する配信処理の機能や作用を実現または実行する。なお、制御部１５の内部構成は、図６に示した構成に限られず、後述する配信処理を行う構成であれば他の構成であってもよい。また、制御部１５が有する各処理部の接続関係は、図６に示した接続関係に限られず、他の接続関係であってもよい。
【００６７】
送信部１５１は、各種情報を外部装置へ送信する。例えば、送信部１５１は、入力部１３により受け付けたユーザ操作に従って、コンテンツ配信装置５０へコンテンツの要求を送信する。例えば、送信部１５１は、起動したブラウザ等のアプリからのコンテンツの要求をコンテンツ配信装置５０へ送信する。また、送信部１５１は、受信部１５３により受信したコンテンツ配信装置５０に広告表示領域が含まれる場合、広告配信装置１００へ広告の配信要求を送信する。例えば、送信部１５１は、広告配信装置１００へ広告の配信要求として端末装置１０を利用するユーザを識別する情報を送信する。
【００６８】
受信部１５２は、各種情報を外部装置から受信する。例えば、受信部１５２は、コンテンツ配信装置５０から配信されたコンテンツを受信する。図１に示す例では、受信部１５２は、コンテンツ配信装置５０から広告表示領域ＡＲ１１を含むコンテンツＣＴ１０を受信する。また、受信部１５２は、広告配信装置１００から配信された広告を受信する。例えば、受信部１５２は、広告の文章である文字情報と、端末装置１０を利用するユーザに関するユーザ情報であって、広告に付加されるユーザ情報とを受信する。例えば、受信部１５２は、画像情報を含むコンテンツと、画像情報に重畳して表示される文字情報であるユーザ情報を受信する。また、受信部１５２は、ユーザ情報が重畳して表示される画像情報と、ユーザ情報を付加しない領域に表示される情報を含むコンテンツを受信する。図１に示す例では、受信部１５２は、広告配信装置１００から広告として、文字情報ＡＣ１１と画像Ｇ１２とユーザ情報ＵＩ１１とを受信する。なお、受信部１５２は、ユーザ情報の表示態様を指示する制御情報を受信してもよい。
【００６９】
表示部１５３は、受信部１５２により受信されたコンテンツや広告を表示する。例えば、表示部１５３は、受信部１５２により受信されたコンテンツにユーザ情報を付加して表示する。表示部１５３は、受信部１５２により受信された広告にユーザ情報を付加して表示する。表示部１５３は、ユーザ情報を画像情報に重畳して表示する。表示部１５３は、ユーザ情報が重畳された画像情報と、ユーザ情報を付加しない領域に表示される情報とを表示する。表示部１５３は、ユーザ情報が重畳された画像情報を含むコンテンツを他のコンテンツとともに一覧表示する。なお、表示部１５３は、受信部１５２により受信されたユーザ情報の表示態様を指示する制御情報に基づいてユーザ情報を表示してもよい。
【００７０】
図１に示す例では、表示部１５３は、ユーザ情報ＵＩ１１が重畳された画像Ｇ１２と、ユーザ情報ＵＩ１１を付加しない領域に表示される文字情報ＡＣ１１とを表示する。また、図１に示す例では、表示部１５３は、ユーザ情報ＵＩ１１が重畳された画像Ｇ１２を含む広告を、他のコンテンツＣＴ１１〜ＣＴ１３とともに一覧表示する。
【００７１】
なお、上述した制御部１５による表示処理等の処理は、例えば、ＪａｖａＳｃｒｉｐｔ（登録商標）などにより実現されてもよい。また、上述した表示処理が所定のアプリケーションにより行われる場合や表示処理が専用アプリにより行われる場合、制御部１５は、例えば、所定のアプリや専用アプリを制御するアプリ制御部を有してもよい。
【００７２】
〔４．配信処理のフロー〕
次に、図７を用いて、実施形態に係る配信システム１による配信処理の手順について説明する。図７は、実施形態に係る配信処理の一例を示すフローチャートである。
【００７３】
図７に示すように、広告配信装置１００の受付部１３１は、広告の配信要求を受け付ける（ステップＳ１０１）。例えば、受付部１３１は、端末装置１０から広告の配信要求を受け付ける。その後、広告配信装置１００の選択部１３２は、広告情報記憶部１２１から広告の文章である文字情報を選択する（ステップＳ１０２）。また、選択部１３２は、ステップＳ１０２において選択した文字情報に基づいて、画像情報記憶部１２３から画像情報を選択する（ステップＳ１０３）。また、選択部１３２は、ステップＳ１０３において選択した画像情報及びステップＳ１０２において選択した文字情報に基づいて、ユーザ属性情報記憶部１２２からユーザ属性を選択する（ステップＳ１０４）。
【００７４】
その後、広告配信装置１００の生成部１３３は、ステップＳ１０４において選択したユーザ属性に基づいてユーザ情報を生成する（ステップＳ１０５）。その後、広告配信装置１００の配信部１３４は、ステップＳ１０２において選択した文字情報とステップＳ１０３において選択した画像情報とステップＳ１０４において生成したユーザ情報とを端末装置１０へ配信する（ステップＳ１０６）。
【００７５】
〔５．表示処理のフロー〕
次に、図８を用いて、実施形態に係る端末装置１０における表示処理の手順について説明する。図８は、実施形態に係る端末装置における表示処理の一例を示すフローチャートである。
【００７６】
図８に示すように、端末装置１０の受信部１５２は、文字情報とユーザ情報と画像情報とを含む広告を受信する（ステップＳ２０１）。その後、端末装置１０の表示部１５３は、ユーザ情報を画像情報に重畳する（ステップＳ２０２）。そして、表示部１５３は、ユーザ情報を重畳した画像情報と文字情報を所定の配置により表示する（ステップＳ２０３）。
【００７７】
〔６．変形例〕
上述した実施形態に係る配信システム１は、上記実施形態以外にも種々の異なる形態にて実施されてよい。そこで、以下では、配信システム１の他の実施形態について説明する。
【００７８】
〔６−１．優先度に基づくユーザの属性選択〕
広告配信装置１００は、各属性の優先度に基づいて、属性を選択してもよい。この点について、図９及び図１０を用いて説明する。図９は、変形例に係る広告情報記憶部の一例を示す図である。また、図１０は、変形例に係る配信処理の一例を示すフローチャートである。なお、図９及び図１０に示す例においては、広告配信装置の広告情報記憶部に記憶される情報に属性に関する優先度が追加されるのみであるため、広告情報記憶部を広告情報記憶部２２１とし、他の部分には、同一符号を付して説明を省略する。
【００７９】
（広告情報記憶部２２１）
変形例に係る広告情報記憶部２２１は、広告に関する各種情報を記憶する。図１０に、変形例に係る広告属性情報記憶部２２１の一例を示す。図１０に示す広告情報記憶部２２１は、「広告ＩＤ」、「文字情報」、「広告主ＩＤ」、「商品」、「優先度」といった項目を有する。
【００８０】
「優先度」は、対応する広告におけるユーザの属性の優先度を示す。例えば、図１０に示す例において、広告ＩＤ「ＡＣ１１」により識別される広告においては、年代が「３０代」であることが優先度１位であり、性別が「男性」であることが優先度２位であることを示す。優先度は、目的に応じて種々の情報に基づいて決定されてもよい。例えば、優先度は、広告評価値（例えば予測収益値等）に基づいて決定されてもよい。例えば、広告評価値はｅＣＰＭ（effective  Cost  Per  Mille）等であってもよい。
【００８１】
〔６−１−１．配信処理のフロー〕
次に、図１０を用いて、ユーザの属性の優先度に基づく配信処理の手順について説明する。図１０は、変形例に係る配信処理の一例を示すフローチャートである。
【００８２】
図１０に示すように、広告配信装置１００の受付部１３１は、広告の配信要求を受け付ける（ステップＳ３０１）。例えば、受付部１３１は、端末装置１０から広告の配信要求を受け付ける。その後、広告配信装置１００の選択部１３２は、広告情報記憶部１２１から広告の文章である文字情報を選択する（ステップＳ３０２）。また、選択部１３２は、ステップＳ３０２において選択した文字情報に基づいて、画像情報記憶部１２３から画像情報を選択する（ステップＳ３０３）。
【００８３】
次に、選択部１３２は、未選択のユーザ属性のうち優先度の高いユーザ属性を選択する（ステップＳ３０４）。例えば、ステップＳ３０２において広告ＩＤ「ＡＣ１１」により識別される広告の文字情報を選択した場合、選択部１３２は、広告の配信先のユーザの年代が３０代である場合、優先度１位である年代「３０代」をユーザ属性として選択する。なお、選択部１３２は、広告の配信先のユーザの年代が３０代でない場合、優先度１位である年代「３０代」をユーザ属性として選択しなくてもよい。また、選択部１３２は、ユーザ属性を所定数選択していない場合（ステップＳ３０５：Ｎｏ）、ステップＳ３０４に戻り、未選択のユーザ属性のうち優先度の高いユーザ属性を選択する（ステップＳ３０４）。
【００８４】
選択部１３２は、ユーザ属性を所定数選択した場合（ステップＳ３０５：Ｙｅｓ）、選択したユーザ属性に基づいてユーザ情報を生成する（ステップＳ３０６）。その後、広告配信装置１００の配信部１３４は、ステップＳ３０２において選択した文字情報とステップＳ３０３において選択した画像情報とステップＳ３０６において生成したユーザ情報とを端末装置１０へ配信する（ステップＳ３０７）。なお、上記の例における優先度は一例であり、優先度は、全広告の統計的な評価値に限らず、広告ごとやユーザごとの評価値に基づいて決定されてもよい。この場合、選択部１３２は、例えば、ユーザごとの評価値に基づいてユーザ属性を選択してもよい。例えば、選択部１３２は、あるユーザについてユーザ属性「性別」の評価値が高い場合、ユーザ属性「性別」を優先して選択してもよい。
【００８５】
〔６−２．イベントに応じたユーザ情報〕
広告配信装置１００は、広告の配信先のユーザにおけるイベントの有無に応じてユーザ情報を生成してもよい。この点について、図１１を用いて説明する。図１１を用いて、ユーザにおけるイベントの有無に基づく配信処理の手順について説明する。図１１は、変形例に係る配信処理の一例を示すフローチャートである。
【００８６】
図１１に示すように、広告配信装置１００の受付部１３１は、広告の配信要求を受け付ける（ステップＳ４０１）。例えば、受付部１３１は、端末装置１０から広告の配信要求を受け付ける。その後、広告配信装置１００の選択部１３２は、広告情報記憶部１２１から広告の文章である文字情報を選択する（ステップＳ４０２）。また、選択部１３２は、ステップＳ４０２において選択した文字情報に基づいて、画像情報記憶部１２３から画像情報を選択する（ステップＳ４０３）。また、選択部１３２は、ステップＳ４０３において選択した画像情報及びステップＳ４０２において選択した文字情報に基づいて、ユーザ属性情報記憶部１２２からユーザ属性を選択する（ステップＳ４０４）。
【００８７】
次に、生成部１３３は、配信先のユーザにおける所定のイベントの有無を判定する（ステップＳ４０５）。例えば、生成部１３３は、受付部１３１により配信要求が受け付けられた日時と、受付部１３１が受け付けたユーザに関する情報やユーザ属性情報記憶部１２２に記憶されたユーザの属性に関する情報に基づいて、配信先のユーザにおける所定のイベントの有無を判定する。例えば、生成部１３３は、配信先のユーザが結婚式場の検索等を行っている場合、所定のイベント（結婚式）有りと判定してもよい。また、例えば、生成部１３３は、配信先のユーザが名づけに関する本を購入している場合、所定のイベント（子供の誕生）有りと判定してもよい。また、例えば、生成部１３３は、配信先のユーザが特定の商品について、オークションサイトやショッピングサイトで閲覧を行っている場合、所定のイベント（特定の商品の購入）有りと判定してもよい。このように、ここで言う所定のイベントには、人の生活において発生するイベント（事象）であればどのようなイベントでもよく、ユーザの属性に応じて種々のイベントが適宜選択されてもよい。
【００８８】
生成部１３３は、配信先のユーザにおいて所定のイベントが有ると判定した場合（ステップＳ４０５：Ｙｅｓ）、選択したユーザ属性とイベントに基づいてユーザ情報を生成する（ステップＳ４０６）。例えば、生成部１３３は、配信先のユーザが所定のイベント（結婚式）有りと判定された場合、結婚式場の予約をすすめる情報を含むユーザ情報を生成してもよい。また、例えば、生成部１３３は、配信先のユーザが所定のイベント（子供の誕生）有りと判定された場合、子供に関する商品の購入やサービスの利用をすすめる情報を含むユーザ情報を生成してもよい。また、例えば、生成部１３３は、配信先のユーザが所定のイベント（特定の商品の購入）有りと判定された場合、特定の商品の購入を促す情報を含むユーザ情報を生成してもよい。
【００８９】
また、選択部１３２は、配信先のユーザにおいて所定のイベントがない場合（ステップＳ４０５：Ｎｏ）、選択したユーザ属性に基づいてユーザ情報を生成する（ステップＳ４０７）。その後、広告配信装置１００の配信部１３４は、ステップＳ４０２において選択した文字情報とステップＳ４０３において選択した画像情報と生成したユーザ情報とを端末装置１０へ配信する（ステップＳ４０８）。
【００９０】
〔６−３．その他のコンテンツにおけるユーザ情報〕
上述した実施形態及び変形例においては、画像情報を含む広告にユーザ情報を付加する例を示したが、ユーザ情報は、目的に応じて種々の情報に付加されてもよい。例えば、ユーザ情報は、動画情報や音声情報に付加されてもよい。この場合、広告配信装置１００は、例えば、動画情報または音声情報を含むコンテンツと、コンテンツに付加される音声情報であるユーザ情報とを、端末装置１０に配信する。また、端末装置１０は、動画情報の表示位置に近接する位置にユーザ情報を文字情報として表示してもよい。この点について、図１２を用いて説明する。
【００９１】
図１２は、端末装置におけるユーザ情報の表示の一例を示す図である。図１２に示す例において、端末装置１０には、２つの動画のサムネイルＭＣ１１とサムネイルＭＣ１２とが表示される。例えば、端末装置１０は、サムネイルＭＣ１１に対応する動画情報とともにユーザ情報を受信しており、サムネイルＭＣ１１の下部に位置する表示領域ＡＲ２１にユーザ情報を表示する。図１２に示す例においては、表示領域ＡＲ２１には、ユーザ情報ＵＩ２１である「３０代男性必見！」が表示される。また、端末装置１０は、サムネイルＭＣ１１に対応する動画情報を再生する際に、例えば再生を開始する操作がされた後動画開始前にユーザ情報ＵＩ２１である「３０代男性必見！」を音声として出力してもよい。この場体、端末装置１０は、音声をスピーカ等の音声出力部から出力する。一方、端末装置１０は、サムネイルＭＣ１２に対応する動画情報とともにユーザ情報を受信していないため、サムネイルＭＣ１２の下部に位置する表示領域ＡＲ２２には、通常情報Ｎ２１である「動画タイトルＡ」が表示される。なお、端末装置１０は、例えばフローティングバナー等のように、動画情報に重畳させてユーザ情報を表示してもよい。
【００９２】
〔７．効果〕
上述してきたように、実施形態に係る広告配信装置１００は、受付部１３１と、配信部１３４とを有する。受付部１３１は、端末装置からコンテンツの配信要求を受け付ける。配信部１３４は、配信要求に対応するコンテンツと、端末装置１０を利用するユーザに関するユーザ情報であって、コンテンツに付加されるユーザ情報とを、端末装置１０に配信する。
【００９３】
これにより、実施形態に係る広告配信装置１００は、端末装置１０を利用するユーザにとって、表示されるコンテンツがユーザ自身に関するユーザ情報が付加されたコンテンツであるため、コンテンツに注目する可能性をより高めることができる。すなわち、広告配信装置１００は、人間の行動心理における選択的注意、いわゆるカクテルパーティ効果を広告等のコンテンツ配信において得ることができる。これにより、広告配信装置１００は、ユーザに応じて適切なコンテンツを配信することができる。
【００９４】
また、実施形態に係る広告配信装置１００において、配信部１３４は、ユーザに関する属性のうち、コンテンツとの関連度に基づいて選択される属性に対応するユーザ情報を端末装置１０に配信する。
【００９５】
これにより、実施形態に係る広告配信装置１００は、端末装置１０を利用するユーザにとって、表示されるコンテンツがユーザ自身の属性に基づいて生成されたユーザ情報が付加されたコンテンツであるため、コンテンツに注目する可能性をより高めることができる。これにより、広告配信装置１００は、ユーザに応じて適切なコンテンツを配信することができる。
【００９６】
また、実施形態に係る広告配信装置１００において、配信部１３４は、ユーザに関する属性のうち、属性の各々に付された優先度に基づいて選択される属性に対応するユーザ情報を端末装置１０に配信する。
【００９７】
これにより、実施形態に係る広告配信装置１００は、端末装置１０を利用するユーザにとって、表示されるコンテンツがユーザ自身の属性のうち優先度の高い属性に基づいて生成されたユーザ情報が付加されたコンテンツであるため、コンテンツに注目する可能性をより高めることができる。これにより、広告配信装置１００は、ユーザに応じて適切なコンテンツを配信することができる。
【００９８】
また、実施形態に係る広告配信装置１００において、配信部１３４は、画像情報を含むコンテンツと、画像情報に重畳して表示される文字情報であるユーザ情報を端末装置１０に配信する。
【００９９】
これにより、実施形態に係る広告配信装置１００は、画像にユーザ自身の属性に基づいて生成されたユーザ情報が重畳して表示されたコンテンツであるため、コンテンツに注目する可能性をより高めることができる。これにより、広告配信装置１００は、ユーザに応じて適切なコンテンツを配信することができる。
【０１００】
また、実施形態に係る広告配信装置１００において、配信部１３４は、ユーザ情報が重畳して表示される画像情報と、ユーザ情報を付加しない領域に表示される情報を含むコンテンツを端末装置１０に配信する。
【０１０１】
これにより、実施形態に係る広告配信装置１００は、ユーザ情報が重畳された画像とユーザ情報が付加されない領域に表示される文字情報とを含むコンテンツであるため、コンテンツに注目する可能性をより高めることができる。これにより、広告配信装置１００は、ユーザに応じて適切なコンテンツを配信することができる。
【０１０２】
また、実施形態に係る広告配信装置１００において、配信部１３４は、ユーザ情報が重畳して表示される画像情報を含むコンテンツが、他のコンテンツと一覧表示される端末装置１０に、コンテンツを配信する。
【０１０３】
これにより、実施形態に係る広告配信装置１００は、画像にユーザ自身の属性に基づいて生成されたユーザ情報が重畳して表示されたコンテンツが他のコンテンツと一覧表示されるため、他のコンテンツと異なりユーザ自身に関するユーザ情報が付加されたコンテンツに注目する可能性をより高めることができる。これにより、広告配信装置１００は、ユーザに応じて適切なコンテンツを配信することができる。
【０１０４】
また、実施形態に係る広告配信装置１００において、配信部１３４は、動画情報または音声情報を含むコンテンツと、コンテンツに付加される音声情報であるユーザ情報とを、端末装置１０に配信する。
【０１０５】
これにより、実施形態に係る広告配信装置１００は、端末装置１０を利用するユーザにとって、再生されるコンテンツがユーザ自身の属性に基づいて生成されたユーザ情報が付加されたコンテンツであるため、コンテンツに注目する可能性をより高めることができる。これにより、広告配信装置１００は、ユーザに応じて適切なコンテンツを配信することができる。
【０１０６】
また、実施形態に係る広告配信装置１００において、受付部１３１は、コンテンツである広告の配信要求を端末装置１０から受け付ける。配信部１３４は、配信要求に対応する広告と、端末装置１０を利用するユーザに関するユーザ情報であって、広告に付加されるユーザ情報とを、端末装置１０に配信する。
【０１０７】
これにより、実施形態に係る広告配信装置１００は、端末装置１０を利用するユーザにとって、表示される広告がユーザ自身の属性に基づいて生成されたユーザ情報が付加された広告であるため、広告に注目する可能性をより高めることができる。これにより、広告配信装置１００は、ユーザに応じて適切な広告を配信することができる。すなわち、広告配信装置１００は、ユーザに応じて適切なコンテンツを配信することができる。
【０１０８】
また、実施形態に係る端末装置１０は、受信部１５２と、表示部１５３とを有する。受信部１５２は、コンテンツと、端末装置１０を利用するユーザに関するユーザ情報であって、コンテンツに付加されるユーザ情報とを受信する。表示部１５３は、受信部１５２により受信されたコンテンツにユーザ情報を付加して表示する。
【０１０９】
これにより、実施形態に係る端末装置１０は、端末装置１０を利用するユーザにとって、表示されるコンテンツがユーザ自身の属性に基づいて生成されたユーザ情報が付加されたコンテンツであるため、コンテンツに注目する可能性をより高めることができる。これにより、端末装置１０は、ユーザに応じて適切なコンテンツを表示することができる。
【０１１０】
また、実施形態に係る端末装置１０において、受信部１５２は、画像情報を含むコンテンツと、画像情報に重畳して表示される文字情報であるユーザ情報を受信する。表示部１５３は、ユーザ情報を画像情報に重畳して表示する。
【０１１１】
これにより、実施形態に係る端末装置１０は、画像にユーザ自身の属性に基づいて生成されたユーザ情報が重畳して表示されたコンテンツであるため、コンテンツに注目する可能性をより高めることができる。これにより、端末装置１０は、ユーザに応じて適切なコンテンツを表示することができる。
【０１１２】
また、実施形態に係る端末装置１０において、受信部１５２は、ユーザ情報が重畳して表示される画像情報と、ユーザ情報を付加しない領域に表示される情報とを含むコンテンツを受信する。表示部１５３は、ユーザ情報が重畳された画像情報と、ユーザ情報を付加しない領域に表示される情報とを表示する。
【０１１３】
これにより、実施形態に係る端末装置１０は、ユーザ情報が重畳された画像とユーザ情報が付加されない領域に表示される文字情報とを含むコンテンツであるため、コンテンツに注目する可能性をより高めることができる。これにより、端末装置１０は、ユーザに応じて適切なコンテンツを表示することができる。
【０１１４】
また、実施形態に係る端末装置１０において、表示部１５３は、ユーザ情報が重畳された画像情報を含むコンテンツを他のコンテンツとともに一覧表示する。
【０１１５】
これにより、実施形態に係る端末装置１０は、画像にユーザ自身の属性に基づいて生成されたユーザ情報が重畳して表示されたコンテンツが他のコンテンツと一覧表示されるため、他のコンテンツと異なりユーザ自身に関するユーザ情報が付加されたコンテンツに注目する可能性をより高めることができる。これにより、端末装置１０は、ユーザに応じて適切なコンテンツを表示することができる。
【０１１６】
また、実施形態に係る端末装置１０において、受信部１５２は、広告と、ユーザ情報とを受信する。表示部１５３は、受信部１５２により受信された広告にユーザ情報を付加して表示する。
【０１１７】
これにより、実施形態に係る端末装置１０は、端末装置１０を利用するユーザにとって、表示される広告がユーザ自身の属性に基づいて生成されたユーザ情報が付加された広告であるため、広告に注目する可能性をより高めることができる。これにより、端末装置１０は、ユーザに応じて適切な広告を表示することができる。すなわち、端末装置１０は、ユーザに応じて適切なコンテンツを表示することができる。
【０１１８】
〔８．ハードウェア構成〕
上述してきた実施形態に係る広告配信装置１００は、例えば図１３に示すような構成のコンピュータ１０００によって実現される。図１３は、広告配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１９】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２０】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１２１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２２】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２３】
例えば、コンピュータ１０００が実施形態に係る広告配信装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１２４】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１２５】
〔９．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２７】
また、上述してきた実施形態及び変形例は、処理内容を矛盾させない範囲で適宜組み合わせることが可能である。
【０１２８】
また、上述してきた「部（section、module、unit）」は、「手段」や「回路」などに読み替えることができる。例えば、受付部は、受付手段や受付回路に読み替えることができる。
【符号の説明】
【０１２９】
１  配信システム
１００  広告配信装置（配信装置）
１２１  広告情報記憶部
１２２  ユーザ属性情報記憶部
１２３  画像情報記憶部
１３０  制御部
１３１  受付部
１３２  選択部
１３３  生成部
１３４  配信部
１０  端末装置
１５１  送信部
１５２  受信部
１５３  表示部
５０  コンテンツ配信装置
Ｎ  ネットワーク
【要約】
【課題】ユーザに応じて適切なコンテンツを配信すること。
【解決手段】本願に係る配信装置は、受付部と、配信部とを有する。受付部は、端末装置からコンテンツの配信要求を受け付ける。配信部は、配信要求に対応するコンテンツと、端末装置を利用するユーザに関するユーザ情報であって、コンテンツに付加されるユーザ情報とを、端末装置に配信する。例えば、配信部は、ユーザに関する属性のうち、コンテンツとの関連度に基づいて選択される属性に対応するユーザ情報を端末装置に配信する。
【選択図】図２【図１】
0005927329.tif 000002
【図２】
0005927329.tif 000003
【図３】
0005927329.tif 000004
【図４】
0005927329.tif 000005
【図５】
0005927329.tif 000006
【図６】
0005927329.tif 000007
【図７】
0005927329.tif 000008
【図８】
0005927329.tif 000009
【図９】
0005927329.tif 000010
【図１０】
0005927329.tif 000011
【図１１】
0005927329.tif 000012
【図１２】
0005927329.tif 000013
【図１３】
0005927329.tif 000014